(57)【特許請求の範囲】
【請求項１】
フレーム１０と、
前記フレーム１０内に備えられ、駆動部６０から回転力を受けて回転し、一側が閉鎖した状態で他側に汚水が内部に流入する開口１０１が形成された回転ドラム２０と、
前記回転ドラム２０を回転可能に支持する中心軸３０と、
前記回転ドラム２０の内部に備えられるスラッジ受け４０と、
前記回転ドラム２０に濾過水を噴射する噴射部５０と、
を含んでなるドラムスクリーンにおいて、
前記回転ドラム２０の内部に流入した汚水と、前記回転ドラム２０の外側にある濾過水とが混じるのを防止する水密部７０が、前記回転ドラム２０の開口１０１の縁部と向き合って延びるように、前記フレーム１０の内周面に備えられ、
この水密部７０は、
前記回転ドラム２０の開口１０１の内周面と接する補強織物７１０と、
前記補強織物７１０の上部側に備えられる弾性シート７２０とを含むことを特徴とするドラムスクリーン。
【請求項２】
前記水密部７０の前記補強織物７１０と前記弾性シート７２０は、前記水密部７０の下側から前記水密部７０の上側への方向に、互いに交互に順次複数積層されることを特徴とする請求項１に記載のドラムスクリーン。
【請求項３】
前記回転ドラム２０に固定されるスクリーン網２２０にスクリーン２２２が接着固定されることを特徴とする請求項１に記載のドラムスクリーン。
【請求項４】
前記回転ドラム２０に固定されるスクリーン網２２０の上部に挿入溝２２０ａが形成され、
前記スクリーン網２２０の挿入溝２２０ａ内にスクリーン２２２の上面に位置した状態で前記スクリーン２２２と一緒に前記挿入溝２２０ａ内に挿入される挿入部材８０を備えることを特徴とする請求項１に記載のドラムスクリーン。
【請求項５】
前記噴射部５０の下部に形成された噴射ノズル５１１の上下角度が調節された状態で前記噴射部５０を支持する支持ブラケット９０を備え、
前記噴射ノズル５１１の上下角度が調節された状態で前記噴射部５０を前記支持ブラケット９０に固定させる角度調節部９１を前記支持ブラケット９０に備え、
前記角度調節部９１は、
前記支持ブラケット９０の一側面と前記支持ブラケット９０の他側面にそれぞれ形成された固定板９１１と、
前記噴射部５０を内側に収容し、前記噴射部５０を前記固定板９１１の方向に密着させた状態で前記固定板９１１を貫通するＵボルト９１２と、
前記固定板９１１を貫通した状態である前記Ｕボルト９１２の部位にネジ結合された状態で前記固定板９１１に備えられたナット部材９１３と、を含んでなることを特徴とする請求項１に記載のドラムスクリーン。
【請求項６】
前記回転ドラム２０に備えられ、前記駆動部６０の回転力を受けて前記回転ドラム２０を回転させる回転部材２００を備え、
前記回転部材２００は、
前記回転ドラム２０の一側に固定された状態で前記駆動部６０から回転力を受けて前記回転ドラム２０を回転させるハウジング２０１と、
前記ハウジング２０１の一側内部に分離可能に収容される収容部材２０２と、を含んでなることを特徴とする請求項１に記載のドラムスクリーン。
【請求項７】
前記回転ドラム２０の収容部材２０２の表面にネジ孔２０２ａが形成され、
前記ハウジング２０１の一側内部から前記収容部材２０２を分離させるために、前記収容部材２０２のネジ孔２０２ａにネジ結合され、左右長が前記ネジ孔２０２ａの左右長より長く形成される分離部材３００を備えることを特徴とする請求項６に記載のドラムスクリーン。
【請求項８】
前記回転部材２００は、前記中心軸３０の一側に結合された状態で前記収容部材２０２の内側に収容されるように前記収容部材２０２の内径より外径が小さく形成される滑りベアリング２０３をさらに含んでなることを特徴とする請求項６に記載のドラムスクリーン。
【請求項９】
前記回転部材２００は、前記駆動部６０の回転力を前記ハウジング２０１に伝達する回転力伝達部材２０４をさらに含んでなることを特徴とする請求項６に記載のドラムスクリーン。
【請求項１０】
前記回転ドラム２００の他側に、前記回転部材２００と対称をなすようにして、他の前記回転部材２００を備えることを特徴とする請求項６に記載のドラムスクリーン。
【発明の詳細な説明】
【技術分野】
【０００１】
本発明は、回転ドラムの開口内周面と接する補強織物に水分が吸収されるとき、前記補強織物と前記回転ドラムの開口内周面との間に形成される水膜によって前記回転ドラムがより円滑に回転することができるだけではなく、回転中の前記回転ドラムの開口内周面と前記開口内周面と接する前記補強織物との間の摩擦力をより容易に低減させることができるのはもちろんのこと、前記回転ドラムが回転する過程中に発生する騷音もより容易に低減させることができ、さらに前記水膜によって前記水密部の水密効率がより一層大きく向上することができるだけではなく、前記補強織物の上部に備えられる弾性シートによって水密部の耐久性が大幅に向上することができ、同時に前記補強織物と前記弾性シートが互いに交互に順次複数積層される場合、前記水密部の耐久性がより一層大きく向上することができるドラムスクリーンに関するものである。
【背景技術】
【０００２】
一般に、循環濾過式養魚は飼育池の水を浄化して再び使用する方法で、魚類を高密度に養殖することができ、水温が低い冬季にもボイラーなどを用いて飼育水の温度を上げるようになるため、飼育経費が高くかかるが、飼育用水を多く使わない利点がある。
【０００３】
しかし、このような循環濾過式養魚は、収容された魚類量に比べて総水量が少ないので、排泄物などの汚物による水質悪化の速度が早くてその程度もひどい欠点がある。
【０００４】
したがって、排泄物や残った餌などのスラッジはなるべく早く除去しなければ魚類の生理機能を弱化させて疾病の原因となる。
【０００５】
養魚場で発生するスラッジは直ちに魚類のえらに害を与えるか、アンモニア、亜硝酸などの有毒性溶存物質に転換されて循環濾過の後段部の物理的または生物学的濾過槽の負荷を高めて施設費及び運営費を加重させるようになり、微生物濾過材の塞がり現象をもたらして溶存酸素の消費量を加重させるようになるので、養魚場ではできるだけ短時間内に飼育水から分離させることが重要である。
【０００６】
養魚場で発生するスラッジを除去するために最も一般的に使用する方法は、ドラムスクリーン、沈澱法、砂濾過器、タンパク質シェーマなどが一番多く使われ、近年には図１に示すように循環濾過式養魚場で魚類排泄物、魚類分泌物、飼料残滓などのスラッジを１次に濾すために使われるドラムスクリーンが特許文献１に提案されたことがあり、特に特許文献１（ドラムスクリーン）の支持フレームの隔壁には回転ドラムの開口の内側面と重なるようにシーリング板が設置されて前記隔壁と前記開口間の隙間を塞げることで、汚水がスクリーンを経なくて簡易水槽の濾過水と混じることを防止するようになっている。
【０００７】
しかし、前記シーリング板はゴム材からなるため、正回転または逆回転する前記回転ドラムの前記開口の内側面とゴム材からなる前記シーリング板の間で発生する摩擦力によって前記シーリング板の耐久性が低下するとともに、これによって前記シーリング板の水密効率が低下し、ひいては前記回転ドラムが正逆回転する過程中に騷音が発生する問題点がある。
【０００８】
そして、特許文献１は、循環濾過式養魚場で魚類の排泄物、魚類分泌物、飼料の残滓などのスラッジを１次に濾すために使用され、特にシーリング板（sealing plate）によって汚水と濾過水が混じることを防止するようになっている。
【０００９】
しかし、特許文献１のシーリング板はゴム材であるため、摩擦力によって耐久性が低下して水密効率が低下する問題点がある反面、本発明の水密部は摩擦力によって耐久性が低下するおそれがなく、水密効率が低下することを容易に防止することができる。
【００１０】
そして、特許文献２は、養魚場から放出される排水に含まれた魚粉、残泥などを除去して排水の浄化を図るようにした。
【００１１】
しかし、特許文献２には本発明の水密部に対応する構成要素が全く提示されていないだけではなく、本発明に比べて構造が複雑になって設置コストが高くかかる問題点がある。
【先行技術文献】
【特許文献】
【００１２】
【特許文献１】韓国特許登録第１０−１００９４３９号
【特許文献２】特開平０８−０２４５２５
【発明の概要】
【発明が解決しようとする課題】
【００１３】
本発明は前述したような問題点を解決するためになされたもので、回転ドラムの開口内周面と接する補強織物に水分が吸収されるとき、前記補強織物と前記回転ドラムの開口内周面との間に形成される水膜によって前記回転ドラムがより一層円滑に回転することができるだけではなく、回転中の前記回転ドラムの開口内周面と、前記開口内周面に接する前記補強織物との間の摩擦力をより容易に低減させることができるのはもちろんのこと、前記回転ドラムが回転する過程中に発生する騷音もより容易に低減させることができ、ひいては前記水膜によって前記水密部の水密効率がより一層大きく向上することができるだけではなく、前記補強織物の上部に備えられる弾性シートによって水密部の耐久性が大幅に向上することができ、同時に前記補強織物と前記弾性シートが互いに交互に順次複数積層される場合、前記水密部の耐久性がより一層大きく向上することができるドラムスクリーンを提供することをその目的とする。
【課題を解決するための手段】
【００１４】
前記のような目的を達成するための本発明は、フレームと；前記フレーム内に備えられ、駆動部から回転力を受けて回転し、一側が閉鎖した状態で他側に汚水が内部に流入する開口が形成された回転ドラムと；前記回転ドラムを回転可能に支持する中心軸と；前記回転ドラムの内部に備えられるスラッジ受けと；前記回転ドラムに濾過水を噴射する噴射部と；を含んでなるドラムスクリーンであって、前記回転ドラムの開口と向き合う前記フレームの内周面に備えられ、前記回転ドラムの開口の内周面と接する補強織物と、前記補強織物の上部に備えられる弾性シートとを含んでなり、前記回転ドラムの内部に流入した汚水と前記フレームの内部の濾過水が混じることを防止する水密部を備える、ドラムスクリーンを提供する。
【００１５】
前記水密部の前記補強織物と前記弾性シートは前記水密部の下側から前記水密部の上側方向に互いに交互に順次複数積層されることができる。
【００１６】
前記回転ドラムに固定されるスクリーン網にスクリーンが接着固定されることができる。
【００１７】
また、本発明のドラムスクリーンは、前記回転ドラムに固定されるスクリーン網の上部に挿入溝が形成され、前記スクリーン網の挿入溝内にスクリーンの上面に位置した状態で前記スクリーンと一緒に前記挿入溝内に挿入される挿入部材を備えることができる。
【００１８】
また、本発明のドラムスクリーンは、前記噴射部の下部に形成された噴射ノズルの上下角度が調節された状態で前記噴射部を支持する支持ブラケットを備え、前記噴射ノズルの上下角度が調節された状態で前記噴射部を前記支持ブラケットに固定させる角度調節部を前記支持ブラケットに備え、前記角度調節部は、前記支持ブラケットの一側面と前記支持ブラケットの他側面にそれぞれ形成された固定板と；前記噴射部を内側に収容し、前記噴射部を前記固定板の方向に密着させた状態で前記固定板を貫通するＵボルトと；前記固定板を貫通した状態である前記Ｕボルト部位にネジ結合された状態で前記固定板に備えられたナット部材と；を含んでなることができる。
【００１９】
また、本発明のドラムスクリーンは、前記回転ドラムに備えられ、前記駆動部の回転力を受けて前記回転ドラムを回転させる回転部材を備え、前記回転部材は、前記回転ドラムの一側に固定された状態で前記駆動部から回転力を受けて前記回転ドラムを回転させるハウジングと；前記ハウジングの一側内部に分離可能に収容される収容部材と；を含んでなることができる。
【００２０】
前記回転ドラムの収容部材の表面にネジ孔が形成され、前記ハウジングの一側内部から前記収容部材を分離させるために、前記収容部材のネジ孔にネジ結合され、左右長が前記ネジ孔の左右長より長く形成される分離部材を備えることができる。
【００２１】
前記回転部材は、前記中心軸の一側に結合された状態で前記収容部材の内側に収容されるように前記収容部材の内径より外径が小さく形成される滑りベアリングをさらに含んでなることができる。
【００２２】
前記回転部材は、前記駆動部の回転力を前記ハウジングに伝達する回転力伝達部材；をさらに含んでなることができる。
【００２３】
また、本発明のドラムスクリーンは、前記回転ドラムの他側に前記回転部材と対称をなすように他の前記回転部材を備えることができる。
【発明の効果】
【００２４】
本発明は、駆動部から回転力を受けて回転する回転ドラムの開口内周面と接する補強織物に水分が吸収されるとき、前記補強織物と前記回転ドラムの開口内周面との間に形成される水膜によって前記回転ドラムがより一層円滑に回転することができるだけではなく回転中の前記回転ドラムの開口内周面及び前記開口内周面と接する前記補強織物との間の摩擦力をより容易に低減させることができるのはもちろんのこと、前記回転ドラムが回転する過程中に発生する騷音もより容易に低減させることができ、ひいては前記水膜によって前記回転ドラムの開口内周面及び前記開口内周面と接する前記補強織物を含んでなる前記水密部の水密効率がより一層大きく向上することができるだけではなく前記補強織物の上部に備えられる弾性シートによって前記水密部の耐久性が大幅に向上することができ、同時に、前記補強織物と前記弾性シートが互いに交互に前記水密部の下側で前記水密部の上側方向に順次に複数積層される場合、前記水密部の耐久性がより一層大きく向上することができる効果がある。
【図面の簡単な説明】
【００２５】
【図１】本発明の一実施例によるドラムスクリーンを概略的に示す断面図である。
【図２】図１の側面図である。
【図３】スクリーン網に接着剤層が形成された状態を概略的に示す斜視図(1)である。
【図４】スクリーン網に接着剤層が形成された状態を概略的に示す斜視図(2)である。
【図５】挿入部材によってスクリーン網にスクリーンが固定される過程を順次に示す断面図(1)である。
【図６】挿入部材によってスクリーン網にスクリーンが固定される過程を順次に示す断面図(2)である。
【図７】角度調節部を概略的に示す拡大側面図である。
【図８】図１のＡ−Ａ線についての断面図である。
【図９】回転部材を概略的に示す断面図である。
【図１０】回転部材を概略的に示す分解断面図である。
【図１１】分離部材によってハウジングから収容部材が分離される状態を概略的に示す断面図である。
【図１２】他の回転部材を概略的に示す断面図である。
【図１３】他の回転部材を概略的に示す分解断面図である。
【図１４】本発明の他の実施例によるドラムスクリーンを概略的に示す断面図である。
【図１５】本発明のさらに他の実施例によるドラムスクリーンを概略的に示す断面図である。
【図１６】図１のＢ−Ｂ線についての断面図(1)である。
【図１７】図１のＢ−Ｂ線についての断面図(2)である。
【発明を実施するための形態】
【００２６】
以下、本発明の好ましい実施例を添付図面に基づいてより詳細に説明すれば次のようである。もちろん、本発明の権利範囲は下記の実施例に限定されるものではなく、本発明の技術的要旨を逸脱しない範囲内であって技術分野の通常的な知識を有する者によって多様に変形実施されることができる。
【００２７】
図１は本発明の一実施例によるドラムスクリーンを概略的に示す断面図であり、図２は図１の側面図である。
【００２８】
本発明の一実施例によるドラムスクリーンは、図１に示すように、大別して、簡易水槽１００ａと、前記簡易水槽１００ａの内部に備えられる支持フレーム１００ｂとからなるフレーム１０と；前記フレーム１０の支持フレーム１００ｂ内に備えられ、駆動部６０から回転力を受けて回転し、一側が閉鎖した状態で他側には汚水が内部に流入する開口１０１が形成された回転ドラム２０と；前記回転ドラム２０を回転可能に支持するために前記フレーム１０の支持フレーム１００ｂの上部に水平に固定される中心軸３０と；前記回転ドラム２０の内部に備えられるスラッジ受け４０と；前記回転ドラム２０に濾過水を噴射する噴射部５０と；を含んでなる。
【００２９】
前記支持フレーム１００ｂの一側の反対側である前記支持フレーム１００ｂの他側には、前記回転ドラム２０の他側に形成された開口１０１と向き合う隔壁１００ｃが垂直に形成される。
【００３０】
前記フレーム１０、回転ドラム２０、中心軸３０、スラッジ受け４０及び噴射部５０は前記特許文献１によって広く知られた公知の事項であるので、以下その詳細な説明は省略する。
【００３１】
ただ、本発明によるドラムスクリーンには、図１に示すように、補強織物７１０と弾性シート７２０からなり、前記回転ドラム２０の内部に流入した汚水と前記フレーム１０の簡易水槽１００ａの内部の濾過水が混じることを防止するための水密部７０がさらに備えられる。
【００３２】
すなわち、図１中に示すように、回転ドラム２０は、図の右側（上記の「他側」）の側面が全面的に開口して、開口１０１をなしている。但し、図示のように、開口１０１に近接した位置に、回転軸からドラムの周面へと延びる支柱が複数系得性されている。また、図の右端の未濾過の汚水の槽と濾過済みの水の槽とを隔てる隔壁１００ｃは、この開口１０１に合わせて省かれており、汚水が流入可能となっている。但し、適宜、柱状や梁状などの部材が備えられる。そして、水密部７０は、開口１０１の縁に沿って延びて、隔壁１００ｃの抜き部の縁部から固定されている。すなわち、水密部７０は、円弧状に延びて、その先端部（図１の左端部）が、開口１０１の縁に沿ったドラム内周面に接している。
【００３３】
前記補強織物７１０は、前記回転ドラム２０の開口１０１と向き合う前記フレーム１０の支持フレーム１００ｂの隔壁１００ｃの内周面に備えられる。
【００３４】
より具体的に、前記隔壁１００ｃには、前記回転ドラム２０の開口１０１の縁と向き合って延びるスカート部１００ｄが形成されている。すなわち、開口１０１の縁に沿って円弧状に延び、隔壁１００ｃから図の左方へと所定の突出寸法に突き出す堰堤状のスカート部１００ｄが備えられている。スカート部１００ｄの突出高さは、回転ドラム２０と隔壁１００ｃとの間隔よりわずかに小さく、スカート部１００ｄの突出端と、開口１０１の縁との間には、わずかな間隙（例えば1cm以下）が形成される。そして、この間隙を、スカート部１００ｄに固定されて、これから延びる水密部７０が塞ぐ。また、前記隔壁１００ｃには、前記スカート部１００ｄの上面に前記水密部７０が装着された状態で前記水密部７０の上部に装着される固定板１００ｅと；前記スカート部１００ｄ、前記水密部７０及び前記固定板１００ｅをそれぞれ順次垂直に貫通するネジピンまたは固定ボルト１００ｆ及びネジピン、あるいは固定ボルト１００ｆの上部にネジ結合され、前記固定板１００ｅの上面に密着して固定されるナット１００ｇによって前記水密部７０をより容易で安定に設置することができる。
【００３５】
前記回転ドラム２０の開口１０１の内周面と向き合う前記補強織物７１０の一側は前記回転ドラム２０の開口１０１の内周面に密着した状態で前記回転ドラム２０の開口１０１の内周面と接するようになる。
【００３６】
前記補強織物７１０は種々のものからなることができるが、特に強度に優れ、摩擦係数が低くて摩耗にも強いポリエステル纎維（特にはポリエチレンテレフタレート繊維）などからなることができる。但し、ナイロン繊維などであっても良い。
【００３７】
前記弾性シート７２０は前記補強織物７１０の上部にボンド（例えば、ニトリルゴムやクロロピレンゴムを溶剤で溶かしたゴム糊、反応硬化性の接着剤や粘着剤）などによって接着されることができる。
【００３８】
前記弾性シート７２０は種々のものからなることができるが、特に柔軟性及び弾力性に優れたＰＶＣ（Polyvinyl chloride；塩化ビニル樹脂）などからなることができる。ＰＶＣは、例えば、ポリマー可塑剤などの非部リード性の可塑剤を添加しｔあ軟質ＰＶＣであり、典型的にはショアA硬度が50〜100である。但し、場合により、ポリエステルエラストマーやエチレンプロピレンゴム（EPDM）などといった樹脂エラストマーなどを使用可能である。
【００３９】
前記駆動部６０から回転力を受けて回転する前記回転ドラム２０の開口１０１の内周面と接する前記補強織物７０１に水分が吸収されるとき、前記補強織物７０１と前記回転ドラム２０の開口１０１の内周面との間に形成される水膜によって前記回転ドラム２０がより一層円滑に回転することができるだけではなく回転中の前記回転ドラム２０の開口１０１の内周面及び前記開口１０１の内周面に接する前記補強織物７０１間の摩擦力をより容易に低減させることができるのはもちろんのこと、前記回転ドラム２０が回転する過程中に発生する騷音もより容易に低減させることができる。
【００４０】
また、前記水膜によって前記回転ドラム２０の開口１０１の内周面及び前記開口１０１の内周面と接する前記補強織物７０１を含んでなる前記水密部７０の水密効率がより一層大きく向上することができるだけではなく、前記補強織物７１０の上部に備えられる前記弾性シート７２０によって前記水密部７０の耐久性が大幅に向上することができるようになる。
【００４１】
次に、前記水密部７０の耐久性をより一層大きく向上させるために、前記補強織物７１０→前記弾性シート７２０→前記補強織物７１０→前記弾性シート７２０の順に前記補強織物７１０と前記弾性シート７２０は互いに交互に前記水密部７０の下側から前記水密部７０の上側方向に順次複数積層されることが好ましい。図１に示す例においては、各2層の補強織物７１０と弾性シート７２０とが積層されるが、例えば、各3層または各4層が積層されるようにすることができる。
【００４２】
次に、図１及び図２に示すように、前記フレーム１０の支持フレーム１００ｂの上側には前記回転ドラム２０を保護する保護カバー１００ｈが備えられ、前記保護カバー１００ｈの上部には前記噴射部５０が連結設置される。
【００４３】
前記保護カバー１００ｈの上部前側には前記噴射部５０から噴射された濾過水が前記回転ドラム２０の外方に飛散することを防止するための噴出水遮断膜１００ｉが設置され、これにより冬季に前記回転ドラム２０の外方に濾過水が飛散して前記フレーム１０の簡易水槽１００ａの周辺地面が氷板をなすことをより効率よく防止することができるだけではなく、濾過水を節減することができるようになる。
【００４４】
前記保護カバー１００ｈ及び前記噴出水遮断膜１００ｉも、特許文献１によって広く知られた公知の事項であるので、以下その詳細な説明は省略する。
【００４５】
ただ、特に図２に示すように、前記保護カバー１００ｈの前面には前記保護カバー１００ｈの下側から前記保護カバー１００ｈの上側方向に行くほど前記保護カバー１００ｈの前方上方に上向きに傾く傾斜面１００ｊが形成されることが好ましい。
【００４６】
前記傾斜面１００ｊによって前記噴射部５０と前記噴出水遮断膜１００ｉとの間の離隔距離がより広くなるようにすることができるので、前記回転ドラム２０の外方に濾過水が飛散することをより一層高効率に防止することができるようになる。
【００４７】
図３及び図４はスクリーン網２２０に接着剤層Ｇが形成された状態を概略的に示す斜視図である。
【００４８】
次に、図３及び図４に示すように、前記回転ドラム２０に固定される前記スクリーン網２２０の表面に接着剤層Ｇが塗布されることができる。スクリーン網２２０は、ステンレス鋼などの金属材、またはポリプロピレンやナイロン、各種エンジニアリング樹脂等の樹脂材により設けることができる。
【００４９】
より具体的に、図４に示すように、前記回転ドラム２０に固定される前記スクリーン網２２０は、複数の貫通口が形成された長方形板状の支持体２２１と；前記支持体２２１の上面に接着固定される微細多孔性のスクリーン２２２と；前記支持体２２１の下面縁部に付着されたシーリングパッド２２３と；を含んでなり、図４に示した固定部材２２４によって前記スクリーン網２２０は前記回転ドラム２０に固定されることができる。
【００５０】
長方形板状の前記支持体２２１、微細多孔性の前記スクリーン２２２、前記シーリングパッド２２３及び前記固定部材２２４も、特許文献１によって広く知られた公知の事項であるので、以下その詳細な説明は省略する。
【００５１】
特に、前記スクリーン網２２０の長方形板状の前記支持体２２１の上面に固定された微細多孔性の前記スクリーン２２２に浮上り現象が発生することをより効率よく防止するために、前記スクリーン網２２０の長方形板状の前記支持体２２１の上面には、図４に示すように、第１接着剤層Ｇ1と第２接着剤層Ｇ2とからなる前記接着剤層Ｇが塗布されることができる。
【００５２】
前記第１接着剤層Ｇ1は長方形板状の前記支持体２２１の上面一側から長方形板状の前記支持体２２１の上面の、他側方向に、一定長さで左右に塗布されることができる。
【００５３】
長方形板状の前記支持体２２１の上面一側から長方形板状の前記支持体２２１の上面他側方向に一定長さで左右に塗布される前記第１接着剤層Ｇ1は長方形板状の前記支持体２２１の前側から長方形板状の前記支持体２２１の後方に一定の間隔で前後に配置されることができる。
【００５４】
前記第２接着剤層Ｇ2は、前記第１接着剤層Ｇ1と直交した状態で長方形板状の前記支持体２２１の上面中間部前側から長方形板状の前記支持体２２１の上面中間部の後方に一定長さで前後に塗布されることができる。
【００５５】
図５及び図６は挿入部材８０によってスクリーン網２２０にスクリーン２２２が固定される過程を順次に示す断面図である。
【００５６】
または、前記スクリーン網２２０の長方形板状の前記支持体２２１の上面に微細多孔性の前記スクリーン２２２をより一層簡便に固定させるとともに接着剤などの使用なしに前記スクリーン網２２０の長方形板状の前記支持体２２１の上面に固定された微細多孔性の前記スクリーン２２２に浮上り現象が発生することをより一層効率よく防止するために、図５及び図６に示すように、前記回転ドラム２０に固定される前記スクリーン網２２０の長方形板状の前記支持体２２１の上面に前記支持体２２１の上部から前記支持体２２１の下方に一定の深さで陥没した挿入溝２２０ａが形成され、前記スクリーン網２２０の前記支持体２２１の挿入溝２２０ａ内に前記スクリーン２２２とともに柔軟性及び弾力性を持つ挿入部材８０が挿入されることができる。
【００５７】
前記挿入溝２２０ａは、断面形状が図５に示すように上側中間が開放した円形などに形成されることができ、図示の例で、断面が半円より大きく、オーバーハング部が形成されている。前記挿入溝２２０ａは前記第１接着剤層Ｇ1のように左右に延びて形成されるとともに長方形板状の前記支持体２２１の上面前側から長方形板状の前記支持体２２１の上面後方に一定の間隔で前後に配置される第１挿入溝（図示せず）と；前記第１挿入溝（図示せず）と連通する状態で前記第１挿入溝（図示せず）と直交するように、前記第２接着剤層Ｇ2のように長方形板状の前記支持体２２１の上面中間部前側から長方形板状の前記支持体２２１の上面中間部の後方に一定の長さで前後に延びる第２挿入溝（図示せず）と；からなることができる。
【００５８】
前記挿入部材８０は、断面形状が、図５に示すように、円形などに形成されることができる。但し、楕円形や、多少、上下に非対称の涙形などであっても良い。また、好ましくは、断面が滑らかな輪郭からなるオーバーハング部が形成される。
【００５９】
前記挿入部材８０は、前記スクリーン２２２の上面に位置する状態で前記スクリーン２２２とともに作業者によって前記挿入溝２２０ａに挿入して固定されることができる。
【００６０】
前記挿入部材８０は前記第１挿入溝（図示せず）と対応する左右長に形成され、前記第１挿入溝（図示せず）内に挿入される第１挿入部材（図示せず）と；前記第２挿入溝（図示せず）と対応する前後長に形成され、前記第２挿入溝（図示せず）内に挿入される第２挿入部材（図示せず）と；からなることができる。
【００６１】
前記第１挿入溝（図示せず）と前記第２挿入溝（図示せず）にそれぞれ挿入された前記第１挿入部材（図示せず）と前記第２挿入部材（図示せず）の中で、前記第１挿入溝（図示せず）と前記第２挿入溝（図示せず）との交差地点に位置する前記第１挿入部材（図示せず）部位または前記第２挿入部材（図示せず）部位は切開できる。
【００６２】
図７は角度調節部９１を概略的に示す拡大側面図、図８は図１のＡ−Ａ線についての断面図である。
【００６３】
次に、前記噴射部５０の下部に形成された噴射ノズル（図８の５１１）の上下角度が調節された状態で前記噴射部５０を支持する支持ブラケット９０がさらに備えられることができる。
【００６４】
前記支持ブラケット９０は、図１に示すように、前記回転ドラム２０の一側から前記回転ドラム２０の他側方向に一定長さで左右に延びて形成されることができ、前記支持ブラケット９０の一側と前記支持ブラケット９０の他側はそれぞれ前記支持ブラケット９０の下方に折り曲げられることができる。
【００６５】
前記噴射部５０を支持する前記支持ブラケット９０は前記保護カバー１００ｈの上部にヒンジで連結されることができる。これも特許文献１によって広く知られた公知の事項であるので、以下その詳細な説明は省略する。
【００６６】
パイプ、ホースなどからなることができる前記噴射部５０の一側と前記噴射部５０の他側はそれぞれ前記支持ブラケット９０の一側と前記支持ブラケット９０の他側を水平に貫通することができる。このように水平に配置される管状の噴射部５０は、その軸まわりに回転させることで、管の径方向に延びるノズル５１１の噴射角度を調製することができる。
【００６７】
特に、前記噴射ノズル５１１の上下角度が調節された状態で前記噴射部５０を前記支持ブラケット９０に固定させる角度調節部９１が前記支持ブラケット９０の一側面と前記支持ブラケット９０の他側面にそれぞれ備えられることができる。
【００６８】
前記角度調節部９１は、図７に示すように、固定板９１１、Ｕボルト９１２及びナット部材９１３からなることができる。
【００６９】
前記固定板９１１は、前記噴射部５０の上方に位置するように、前記支持ブラケット９０の一側面と前記支持ブラケット９０の他側面にそれぞれ一体型に水平に形成されることができる。
【００７０】
前記Ｕボルト９１２の内側に前記噴射部５０が収容された状態で前記Ｕボルト９１２の上部前側と前記Ｕボルト９１２の上部後側はそれぞれ前記固定板９１１の前側と前記固定板９１１の後側を垂直に貫通することができる。
【００７１】
前記ナット部材９１３は、前記固定板９１１の前側と前記固定板９１１の後側をそれぞれ垂直に貫通した前記Ｕボルト９１２の上部前側部位と前記Ｕボルト９１２の上部後側部位にネジ結合された状態で前記固定板９１１の上面に密着して備えられることができる。
【００７２】
作業者は、前記ナット部材９１３を前記Ｕボルト９１２の上部前側部位と前記Ｕボルト９１２の上部後側部位からそれぞれ分離した後、前記Ｕボルト９１２を前記固定板９１１の下方に下降させた状態で、図８に示すように、前記噴射部５０を正回転または逆回転させることで前記噴射部５０の噴射ノズル５１１の上下角度を調節することができる。
【００７３】
前記噴射部５０の噴射ノズル５１１の上下角度が調節された状態で、作業者はさらに前記Ｕボルト９１２を前記固定板９１１の上方に上昇させて前記噴射部５０の上側を前記固定板９１１の下面に密着させ、この状態で前記Ｕボルト９１２の上部前側部位と前記Ｕボルト９１２の上部後側部位にさらに前記ナット部材９１３をそれぞれネジ結合させることができる。
【００７４】
図９は回転部材２００を概略的に示す断面図、図１０は回転部材２００を概略的に示す分解断面図である。
【００７５】
次に、前記回転ドラム２０に備えられ、前記駆動部６０の回転力を受けて前記回転ドラム２０を回転させる回転部材２００が備えられることができる。
【００７６】
前記駆動部６０は、図９に示すように、駆動モーター６１０と；前記駆動モーター６１０の駆動軸６１１に軸結合されて前記駆動軸６１１と一緒に正回転または逆回転する回転体６２０と；を含んでなる。
【００７７】
前記回転体６２０は、プーリー、スプロケット、タイミングギアなどからなることができる。
【００７８】
前記駆動部６０も特許文献１によって広く知られた公知の事項であるので、以下、その詳細な説明は省略する。
【００７９】
特に、前記回転体６２０及び前記回転部材２００が塩度によって酸化しないようにするために、前記回転体６２０及び前記回転部材２００は耐食性に優れたエンジニアリングプラスチックなどからなることができる。
【００８０】
前記回転部材２００は、図９及び図１０に示すように、大別して、ハウジング２０１と収容部材２０２からなる。
【００８１】
前記ハウジング２０１は、図１０に示すように、環状の固定板２０１ａ、環状突出体２０１ｂ及び環状の突条２０１ｃからなることができる。
【００８２】
環状の前記固定板２０１ａは、前記回転ドラム２０の一側中間部に分離可能にボルトで固定されることができる。
【００８３】
前記環状突出体２０１ｂは環状の前記固定板２０１ａの一側面に環状の前記固定板２０１ａの一側外方に突設されることができる。
【００８４】
前記環状突出体２０１ｂの外径は環状の前記固定板２０１ａの外径より小さく形成されることができる。
【００８５】
環状の前記固定板２０１ａの中心部及び前記環状突出体２０１ｂの中心部には貫通口２０１ｄが形成されることができる。
【００８６】
前記環状突出体２０１ｂの一側内部には前記貫通口２０１ｄと連通する収容凹部２０１ｅが前記環状突出体２０１ｂの一側に前記環状突出体２０１ｂの他側方向に一定の深さで陷沒して形成されることができる。
【００８７】
前記環状突条２０１ｃは前記環状突出体２０１ｂの収容凹部２０１ｅの周辺に位置する前記環状突出体２０１ｂの一側面に前記環状突出体２０１ｂの一側外方に突設されることができる。
【００８８】
環状の固定板２０１ａ、環状の突出体２０１ｂ及び環状の突条２０１ｃからなる前記ハウジング２０１は前記駆動部６０の駆動軸６１１と一緒に正回転または逆回転する前記回転体６２０の正逆回転力を受けて前記回転ドラム２０を正回転または逆回転させるようになる。
【００８９】
前記収容部材２０２は環状に形成されることができる。
【００９０】
前記収容部材２０２は前記ハウジング２０１の前記環状突出体２０１ｂの一側面に形成された前記環状突条２０１ｃの内側に位置するように前記環状突出体２０１ｂの一側内部に形成された前記収容凹部２０１ｅ内に分離可能に収容されることができる。
【００９１】
図１１は分離部材３００によってハウジング２０１から収容部材２０２が分離される状態を概略的に示す断面図である。
【００９２】
次に、図１１に示すように、前記回転部材２００の収容部材２０２の中心部外側に位置するように前記収容部材２０２の表面には前記収容部材２０２の一側から前記収容部材２０２の他側方向に一定長さで左右に延びるネジ孔２０２ａが等間隔で形成されることができる。
【００９３】
前記回転部材２００のハウジング２０１の前記環状突出体２０１ｂの一側内部に形成された前記収容凹部２０１ｅから前記収容部材２０２を前記収容凹部２０１ｅの外方にもっと容易に分離させるため、前記収容部材２０２のネジ孔２０２ａにはボルトなどからなることができる分離部材３００がネジ結合されることができる。
【００９４】
ボルトなどからなることができる前記分離部材３００の一側から前記分離部材３００の他側までの左右長は前記ネジ孔２０２ａの一側から前記ネジ孔２０２ａの他側までの左右長より長く形成されることができる。
【００９５】
作業者はスパナなどの工具類によって前記分離部材３００を正方向に回転させることで、前記収容部材２０２のネジ孔２０２ａに前記分離部材３００をネジ結合させることができ、
前記収容部材２０２のネジ孔２０２ａにネジ結合された前記分離部材３００の一側の反対側である前記分離部材３００の他側が前記回転部材２００のハウジング２０１の前記環状突出体２０１ｂの収容凹部２０１ｅの一側の反対側である前記収容凹部２０１ｅの他側内周面と接した状態で作業者が前記分離部材３００をさらに持続的に正方向に回転させる場合、前記収容部材２０２は前記分離部材３００の他側から前記分離部材３００の一側方向に移動して前記ハウジング２０１の一側内部から前記ハウジング２０１の一側外方に分離されることができるようになる。
【００９６】
次に、図９及び図１０に示すように、前記回転ドラム２０が騷音なしにより一層円滑に正回転または逆回転することができるようにするために、前記回転部材２００は滑りベアリング２０３をさらに含んでなることができる。
【００９７】
前記滑りベアリング２０３が塩度によって酸化しないようにするために、前記滑りベアリング２０３は耐食性に優れたステンレスまたはセラミック材などの多様な素材からなることができる。
【００９８】
前記滑りベアリング２０３の他側が環状の前記収容部材２０２の内側に収容されるように前記滑りベアリング２０３の他側外径は環状の前記収容部材２０２の内径より小さく形成されることができる。
【００９９】
前記滑りベアリング２０３の一側が環状の前記収容部材２０２の一側外部に露出されるように、前記滑りベアリング２０３の一側外径は環状の前記収容部材２０２の内径より大きく形成されることができる。
【０１００】
前記中心軸３０の一側は、前記ハウジング２０１の貫通口２０１ｄ、収容凹部２０１ｅ及び前記滑りベアリング２０３の中心部をそれぞれ順次水平に貫通することができる。
【０１０１】
次に、図９に示すように、前記回転部材２００は、プーリー、スプロケット、タイミングギアなどからなることができる回転力伝達部材２０４をさらに含んでなることができる。
【０１０２】
前記ハウジング２０１の前記環状突条２０１ｃの周辺の前記回転力伝達部材２０４部位は前記ハウジング２０１の前記環状突出体２０１ｂの一側に分離可能にボルトで固定されることができる。
【０１０３】
前記駆動部６０の回転体６２０の正逆回転力を前記回転力伝達部材２０４に伝達するために、前記駆動部６０は前記回転体６２０の外周面に上側がかかり、前記回転力伝達部材２０４に下側がかかるベルト、チェーン、タイミングベルトなどからなることができるかかり部材６３０をさらに含んでなることができる。
【０１０４】
前記かかり部材６３０によって前記回転力伝達部材２０４は前記駆動部６０の正逆回転力を受けて正逆回転するようになる。この際、前記ハウジング２０１も前記回転力伝達部材２０４から正逆回転力を受けて正回転または逆回転して前記回転ドラム２０を正回転または逆回転させるようになる。
【０１０５】
図１２は他の回転部材２００を概略的に示す断面図、図１３は他の回転部材２００を概略的に示す分解断面図である。
【０１０６】
次に、図１２及び図１３に示すように、前記回転ドラム２０の他側中間部には、前記回転部材２００と左右に対称する状態で他の前記回転部材２００が備えられることができる。
【０１０７】
他の前記回転部材２００は前記ハウジング２０１、前記収容部材２０２及び前記滑りベアリング２０３からなることができる。
【０１０８】
前記中心軸３０の他側は、他の前記回転部材２００のハウジング２０１の貫通口２０１ｄ、収容凹部２０１ｅ及び滑りベアリング２０３の中心部をそれぞれ順次水平に貫通することができる。
【０１０９】
前記回転ドラム２０の一側に備えられる前記回転部材２００が耐食性に優れたエンジニアリングプラスチックなどからなるから、塩度によって前記回転部材２００が酸化するおそれがないのはもちろんのこと、前記回転部材２００を前記回転ドラム２０からより容易に分離して入替えや補修を行うことができ、ひいては耐食性に優れたステンレスなどからなる前記滑りベアリング２０３によって前記回転部材２００によって前記回転ドラム２０が回転する過程中に騷音が発生することをより容易に防止することができるのはもちろんのこと、前記回転ドラム２０の円滑な回転のために前記回転部材２００に潤滑油を塗布する必要がなくなる。
【０１１０】
図１４は本発明の他の実施例によるドラムスクリーンを概略的に示す断面図である。
【０１１１】
次に、本発明の他の実施例によるドラムスクリーンは一実施例と同様に構成されるが、前記フレーム１０は、図１４に示すように、四角箱状などに形成されることができる前記支持フレーム１００ｂだけで構成されることができる。
【０１１２】
前記支持フレーム１００ｂ内には濾過水が保存されることができ、前記回転ドラム２０の開口１０１を通じて前記回転ドラム２０内に養魚場の汚水が流入することができる。
【０１１３】
図１５は本発明のさらに他の実施例によるドラムスクリーンを概略的に示す断面図である。
【０１１４】
次に、本発明のさらに他の実施例によるドラムスクリーンは他の実施例と同様に構成されるが、前記支持フレーム１００ｂは図面には示されていないが、養魚場の水路に漬かった状態で設置されることができる。
【０１１５】
四角箱状などに形成されることができる前記支持フレーム１００ｂの一側と前記支持フレーム１００ｂの他側にはそれぞれ排出口Ｅと流入口Ｉがそれぞれ形成されることができ、前記養魚場の水路の水は前記流入口Ｉを通じて前記支持フレーム１００ｂ内に流入した後、前記排出口Ｅを通じて前記支持フレーム１００ｂの一側外部に排出できる。
【０１１６】
図１６及び図１７は図１のＢ−Ｂ線についての断面図である。
【０１１７】
次に、本発明の一実施例による前記フレーム１０の簡易水槽１００ａの底板一側の反対側である前記簡易水槽１００ａの底板他側には掃除用排水口Ｍが形成されることができる。
【０１１８】
前記掃除用排水口Ｍは、図１６に示すように、前記簡易水槽１００ａの底板他側中心部から外れた状態で前記簡易水槽１００ａの底板他側に偏って形成されることができる。
【０１１９】
または、前記掃除用排水口Ｍは、図１７に示すように、前記簡易水槽１００ａの底板他側中心部に形成されることができる。
【０１２０】
前記簡易水槽１００ａ内の濾過水が前記掃除用排水口Ｍを通じて前記簡易水槽１００ａの外部に円滑に排水されることができるようにするために、図１６に示すように、前記掃除用排水口Ｍの前側周辺に位置する前記簡易水槽１００ａの底板他側には前記掃除用排水口Ｍから前記簡易水槽１００ａの前側方向に行くほど次第に上向きに傾いた傾斜面Ｓが形成されることができる。
【０１２１】
または、図１７に示すように、前記掃除用排水口Ｍの前側周辺に位置する前記簡易水槽１００ａの底板他側には前記掃除用排水口Ｍから前記簡易水槽１００ａの前側方向に行くほど次第に上向きに傾いた前側傾斜面Ｓ1が形成され、前記掃除用排水口Ｍの後側周辺に位置する前記簡易水槽１００ａの底板他側には前記前側傾斜面Ｓ1と前後に対称するように前記掃除用排水口Ｍから前記簡易水槽１００ａの後側方向に次第に上向きに傾いた後側傾斜面Ｓ2が形成されることができる。
【符号の説明】
【０１２２】
１０    フレーム
２０    回転ドラム
３０    中心軸
４０    スラッジ受け
５０    噴射部
６０    駆動部
７０    水密部
【要約】
【課題】回転ドラムをより円滑に回転させ、回転ドラムの開口内周面と、前記開口内周面に接する補強織物との摩擦力をより容易に低減させ、回転中に発生する騷音もより容易に低減させ、水密部の水密効率がより大きく向上し、水密部の耐久性を大幅に向上させ、補強織物と前記弾性シートの交互な積層によって水密部の耐久性がより大きく向上したドラムスクリーンを提供する。
【解決手段】フレーム内に備えられ一側が閉鎖した状態で他側に汚水が内部に流入する開口が形成された回転ドラムと；回転ドラムを回転可能に支持する中心軸と；回転ドラム内のスラッジ受けと；回転ドラムに濾過水を噴射する噴射部とを含み、回転ドラムの開口と向き合うフレーム内周面に備えられて回転ドラムの開口の内周面と接する補強織物と、その上部に備えられる弾性シートとを含み、回転ドラム内に流入した汚水とフレーム内部の濾過水が混じるのを防止する水密部を備える。
【選択図】図１【図１】
0005485462.tif 000002
【図２】
0005485462.tif 000003
【図３】
0005485462.tif 000004
【図４】
0005485462.tif 000005
【図５】
0005485462.tif 000006
【図６】
0005485462.tif 000007
【図７】
0005485462.tif 000008
【図８】
0005485462.tif 000009
【図９】
0005485462.tif 000010
【図１０】
0005485462.tif 000011
【図１１】
0005485462.tif 000012
【図１２】
0005485462.tif 000013
【図１３】
0005485462.tif 000014
【図１４】
0005485462.tif 000015
【図１５】
0005485462.tif 000016
【図１６】
0005485462.tif 000017
【図１７】
0005485462.tif 000018